(57)【特許請求の範囲】
【請求項１】
サービス情報を受信し利用するサービス情報受信装置において、
利用有効時間を含む使用権情報を受信して、その受信した使用権情報に含まれる利用有効時間を記憶する記憶手段と、
前記記憶手段に記憶されている利用有効時間を時間経過に伴って徐々に短縮するように更新していく有効期間短縮手段と、
前記サービス情報が無料のサービス情報である場合は、該サービス情報の利用を許可する第１の許可手段と、
前記サービス情報が有料のサービス情報であり、且つ、前記記憶手段に記憶されている利用有効時間が有効な残量である場合は、該サービス情報の利用を許可する第２の許可手段と、
前記サービス情報が有料のサービス情報であり、且つ、前記記憶手段に記憶されている利用有効時間が有効な残量でない場合は、該サービス情報の利用を禁止する禁止手段と、
を具備したことを特徴とするサービス情報受信装置。
【請求項２】
前記サービス情報は、不特定多数の利用者が必要に応じて受信し利用することが可能な形態で放送されているサービス情報であることを特徴とする請求項１記載のサービス情報受信装置。
【請求項３】
前記サービス情報は、ＦＭ文字多重放送によって放送されているサービス情報であることを特徴とする請求項２記載のサービス情報受信装置。
【請求項４】
通信網を介してサービス情報送信装置に対する前記使用権情報の送信要求を行う送信要求手段を更に具備し、
前記記憶手段は、前記送信要求に応答して前記サービス情報送信装置より送信されてくる前記使用権情報を受信し、この受信した使用権情報に基づいて前記記憶内容の更新を行うことを特徴とする請求項１乃至３のいずれかに記載のサービス情報受信装置。
【発明の詳細な説明】
【０００１】
【産業上の利用分野】
本発明は、ＦＭ多重放送に適用して好適な有料のサービス情報（選択呼出しサービスを含む）の受信及び送受信に好適なサービス情報送受信装置及びサービス情報受信装置に関する。
【０００２】
【従来の技術】
近年、ＦＭ放送電波に文字情報等のサービス情報を多重させて送信し、そのサービス情報を受信側に設けた表示手段に表示させるＦＭ放送電波を媒体としたサービスが考えられている。
【０００３】
このサービスは、いわゆる移動体ＦＭ文字多重放送とも称され、見えるラジオ（Ｖｉｓｕａｌ  Ｉｎｆｏｒｍａｔｉｏｎ  Ｒａｄｉｏ）として実用化されつつある。具体的には、送信側のＦＭ放送局から通常のＦＭ放送電波に文字や数字等の表示情報を多重化させた電波を送信し、受信側に設けた液晶ディスプレイ付きＦＭラジオにより前記電波を受信してＦＭ放送電波と文字や数字等の表示情報とを分離し、表示情報を文字コードに変換して液晶ディスプレイに表示し利用者の視認に供するようにしたものである。これにより、利用者は例えば天気予報、交通情報等を文字により視認することが可能となる。
【０００４】
上述した移動体ＦＭ文字多重放送においては、無料のサービス情報の提供の他、特定のサービス情報については有料化することが考えられている。
【０００５】
【発明が解決しようとする課題】
上述した移動体ＦＭ文字多重放送における有料のサービス情報を利用者に提供する場合、この移動体ＦＭ文字多重放送を営む事業者は何等かの方法で利用者から利用料金を徴収する必要があるが、単純に事業者と利用者との間の料金月払い契約等で徴収しようとすると、利用者側の支払い滞納等が生じ易く、利用者の管理が煩雑になるという問題がある。
【０００６】
また、移動体ＦＭ文字多重放送の場合、ＦＭ放送電波を利用する関係上支払い滞納の利用者のみサービス情報の提供を中止することは実際上困難である。
【０００７】
そこで、本発明は、有料のサービス情報の移動体ＦＭ文字多重放送を行う際に、有料のサービス情報を受信するための料金を支払った正当な利用者に対する有料のサービス情報の使用権の設定を行うことができ利用者の管理の万全を図れるサービス情報受信装置、サービス情報送受信装置を提供することを目的とする。
【００１２】
【課題を解決するための手段】
請求項１記載の発明は、サービス情報を受信し利用するサービス情報受信装置において、利用有効時間を含む使用権情報を受信して、その受信した使用権情報に含まれる利用有効時間を記憶する記憶手段と、前記記憶手段に記憶されている利用有効時間を時間経過に伴って徐々に短縮するように更新していく有効期間短縮手段と、前記サービス情報が無料のサービス情報である場合は、該サービス情報の利用を許可する第１の許可手段と、前記サービス情報が有料のサービス情報であり、且つ、前記記憶手段に記憶されている利用有効時間が有効な残量である場合は、該サービス情報の利用を許可する第２の許可手段と、前記サービス情報が有料のサービス情報であり、且つ、前記記憶手段に記憶されている利用有効時間が有効な残量でない場合は、該サービス情報の利用を禁止する禁止手段と、を具備したことを特徴としています。
【００２６】
請求項３記載のサービス情報受信装置によれば、受信処理手段が前記サービス情報を受信したときに、前記計時手段の計時結果に基づいて前記情報記憶手段の受信可能期間情報の有効無効を判別し、無効と判別した場合には前記サービス情報の表示を禁止するので、計時手段が計時する時刻情報に基づいて正確に前記受信可能期間を管理でき、事業者による利用者管理が万全となる。ここに、受信可能期間情報とは、例えば、６ヶ月、１年等の情報をいう。
【００３９】
【実施例】
以下に、本発明の実施例を詳細に説明する。
【００４０】
図１は、本発明の第１の実施例のサービス情報受信装置１を含む移動体ＦＭ文字多重放送のシステム構成を示すものである。
【００４１】
移動体ＦＭ文字多重放送のシステムは、有料及び無料のサービス情報を多重化したＦＭ放送電波を送信する事業者である後述するサービス情報送信装置７０を備えたＦＭ放送局３と、このＦＭ放送局３からのＦＭ放送電波を受信する本実施例のサービス情報受信装置１と、このサービス情報受信装置１において有料のサービス情報を受信するための代金の支払いを行う前記ＦＭ放送局３と所定の料金契約をした金融機関４とから構成されている。サービス情報受信装置１とサービス情報送信装置７０とにより本実施例のサービス情報送受信装置を構成している。
【００４２】
次に、前記サービス情報受信装置１について、図２乃至図４を参照して説明する。
【００４３】
このサービス情報受信装置１は、図２に示すように、略直方体状の装置本体１Ａの表面に、キー入力部５、サービス情報等を表示する表示手段としての表示部６を具備している。キー入力部５は、文字削除キー７、機能選択キー８、ひらがな、カタカナ等を選択する文字選択キー９、絵文字キー１０、あ乃至わのひらがなを入力するひらがな入力キー群１１、放送電波のチューニングを行うチューニングキー１２、ラジオ、サービス情報の切り替えキー１３、情報メモリキー１４、情報メニューキー１５、ＯＫキー１６、ＦＭ多重の番組選択、カーソル移動、実行、計算実行等を行うカーソルキー１７、情報バンク、電話、計算、シークレット等のモードを選択するモードキー群１８等を設けている。
【００４４】
前記サービス情報受信装置１の一方の側面には、図３に示すように、ステレオヘッドホン用ジャック１９、音量調整ダイヤル２０、電源スイッチ２１を設けている。
【００４５】
図５は、前記サービス情報受信装置１の構成を示すブロック図であり、ＦＭ放送電波を受信する対応する音声を発音するＦＭラジオ部３０と、このＦＭラジオ部３０により受信したＦＭ放送電波に多重化されている有料、無料のサービス情報の受信に対する各種の処理を行うサービス情報受信部４０とを有している。
【００４６】
前記ＦＭラジオ部３０は、ＦＭ放送電波を受信するアンテナ３１と、ＦＭ放送電波のチューニングを行うＦＭチューナ３２と、ＦＭ信号の復調を行うＦＭ復調器３３と、復調されたＦＭ信号をステレオ信号にするステレオ復調器３４と、このステレオ復調器３４の出力信号を増幅する一対のアンプ３５ａ、３５ｂと、アンプ３５ａ、３５ｂで増幅された信号を音声として出力する一対のスピーカ３６ａ、３６ｂとを具備している。前記ステレオヘッドホン用ジャック１９にステレオヘッドホンを装着してＦＭステレオ放送を聴取することももちろん可能である。
【００４７】
前記サービス情報受信部４０は、前記ＦＭ復調器３３に接続され、前記ＦＭステレオ放送のＬ、Ｒ信号の変調度に対応して多重信号の大きさ（レベル）を４乃至１０％まで変化するデジタル変調を行いＦＭ放送電波に多重化されているサービス情報を分離するＬ−ＭＳＫ（Level controlled Minimam Shift Keying)復調器４１と、誤り訂正符号器４２と、分離されたサービス情報に対する各種の処理を行う受信処理手段としての受信処理部４３とを有している。この受信処理部４３に対して、図５に示すように、このサービス情報受信部４０を制御する処理プログラム、有料のサービス情報を受信するためのＩＤコード及びこのサービス情報受信装置１の個別ＩＤコードを格納したＲＯＭ４４と、前記キー入力部５及び表示部６と、受信データ（受信情報）を記憶する受信データメモリ４７及び前記キー入力部５からの入力データ（入力情報）を記憶する入力データメモリ４８と、受信処理部４３の処理結果に応じて警報を発するブザー等の報音部４９と、前記キー入力部５におけるチューニングキー１２の操作に応じて前記ＦＭチューナ３２の受信チューニングを行う受信制御部５５と、有料のサービス情報の利用可能回数、受信可能期間等の使用権情報を記憶するＥＥＰＲＯＭ２とを接続している。
【００４８】
図６は、前記受信データメモリ４７のメモリエリア構造を示すものであり、この受信データメモリ４７は、番組番号（例えば１乃至２５６）に対応して、無料のサービス情報を記憶する番組番号１乃至１００に対応する無料エリアａと、番組番号１０１乃至２５４に対応する有料のサービス情報を記憶する有料エリアｂと、番組番号２５５乃至２５６に対応する連絡メーセージエリアｃとを具備している。
【００４９】
図７は、前記ＦＭ放送局３に配置されるサービス情報送信装置７０を示すものであり、このサービス情報送信装置７０は、送信部７１と、多重化処理部７２と、後述するような有料、無料のサービス情報を多重化処理部７２に送り出す送信処理手段である送信処理部７３と、この送信処理部７３に接続した利用者情報記憶手段である利用者ファイル８２とを具備している。前記送信部７１は、音声情報のステレオ変調を行うステレオ変調器７５と、ＦＭ変調器７６と、送信機７７と、送信アンテナ７８とを具備している。多重化処理部７２は、符号化部７８、多重化部７９、誤り訂正付加部８０、Ｌ−ＭＳＫ変調器８１を具備している。
【００５０】
次に、図８を参照して利用者ファイル８２の記憶内容について説明する。この利用者ファイル８２は、サービス情報受信装置１の利用者名（例えば東京太郎等）、個別ＩＤコード（例えば１２３４等）、料金支払い欄（例えば済み、未等）、契約している使用権情報の種類、例えば利用回数情報（例えば５０回、１００回等）、受信可能期間情報（例えば平成６年１１月１日〜平成７年０３月０１日等）、受信有効期間情報（例えば６ケ月、１年等）を記憶するようになっている。
【００５１】
次に、前記ＦＭ放送電波に多重化されるサービス情報の送信信号フォーマットについて図９乃至図１２を参照して説明する。図９は番組番号（例えば１乃至１００）及び無料のサービス情報であるメッセージ情報（例えば道路情報）の送信信号フォーマットの例であり、図１０に示す例は、番組番号（例えば１０１乃至２５４）と、有料ＩＤコード及び天気予報、株式情報等のメッセージ情報からなる有料のサービス情報の送信信号フォーマットの例であり、図１１に示す例は、番組番号（例えば２５５、２５６）と、有料ＩＤコード及び連絡メーセージ（例えば「有料のサービス情報は受信できません。料金をお支払いください。」という内容のメッセージ）の送信信号フォーマットの例である。
【００５２】
図１２は、サービス情報受信装置１に対して送信する番組番号（例えば１０１乃至２５４）、この番組番号とともに送信する個別ＩＤコード、使用権情報である使用回数情報（例えば１００回）の送信信号フォーマットの例を示すものである。
【００５３】
次に、前記サービス情報送信装置７０、サービス情報受信装置１の作用を図１３乃至図１５を参照して説明する。図１３は、前記使用権情報である使用回数情報がＥＥＰＲＯＭ２に記憶されている場合の受信動作のフローチャートを示すものである。
【００５４】
前記サービス情報送信装置７０により発信された有料、無料のサービス情報（図９乃至図１１）、あるいは番組番号、個別ＩＤコード、使用権情報である受信可能回数情報からなる図１２に示す使用権設定のための信号が多重化されているＦＭ放送電波が着信し（Ｓ１）、前記Ｌ−ＭＳＫ復調器４１を経てサービス情報が入力される毎に、前記受信処理部４３はまずサービス情報の番組番号を判断する（Ｓ２）。
【００５５】
そして、受信処理部４３は番組番号が無料のものであると判断した場合には（Ｓ３）、対応する図９に示す例えば道路情報のような無料のメッセージ情報を取り込み（Ｓ４）、このとき予め定められた表示指定又は前記キー入力部５の操作による表示指定があれば（Ｓ５）、このメッセージ情報を前記表示部６に表示させる（Ｓ６）。
【００５６】
一方、ステップ３で無料ではなく図１０乃至図１２に示すような有料ＩＤコード又は個別ＩＤコードが存在する有料の番組番号と判断した場合には、送信された有料ＩＤコード又は個別ＩＤコードと、前記ＲＯＭ４４に予め記憶した個別ＩＤコード及び有料ＩＤコードとを比較し（Ｓ７）、一致しなければ（Ｓ８）、受信終了とし、一致した場合には前記個別ＩＤコードと一致している場合に（Ｓ９）、前記ＥＥＰＲＯＭ２に図１４に示すように使用回数１００回を書き込む。即ち既存の使用回数情報を書き替える。即ち、このサービス情報受信装置１に対する使用権の設定を行う（Ｓ１０）。この場合、既存の使用回数に使用回数１００回を加えるようにすることもできる。
【００５７】
また、ステップ９で有料ＩＤコードとが一致している場合には、前記受信処理部４３は、前記ＥＥＰＲＯＭ２に記憶した受信可能回数（残り受信可能回数）が０か否かを判断する（Ｓ１１）。残りの回数が０でなければ、有料のメーセージ情報を受信した番組番号に対応する前記有料エリアｂに記憶する（Ｓ１２）。このとき、既に表示指定されているか、又は前記キー入力部５の操作による表示指定があれば（Ｓ１３）、有料のサービス情報におけるメッセージ情報を前記表示部６に表示させる（Ｓ１４）。
【００５８】
ステップ１３あるいはステップ１４の処理に続いて、受信処理部４３は前記ＥＥＰＲＯＭ２に記憶した残り受信回数から１をマイナスする処理を行い（Ｓ１５）、このとき、処理後の残り受信回数の情報を前記表示部６に送って例えば図１５に示すように「受信可能回数９５」というように表示する。これにより、使用者は自己の残り回数を明確に認識でき、次の使用権設定のための料金支払いの目安とすることができる。
【００５９】
前記受信処理部４３はさらに前記記憶部４５に記憶した残り回数が０か否かの判断を行い（Ｓ１６）、０になった場合には前記報音部４９を制御してブザー音等を発音させ使用者に報知する（Ｓ１７）。これにより、使用者は使用権が無くなったことを明確に認識できる。
【００６０】
前記ステップ１１で、残り受信回数が０、即ち、無効と判断された場合には、図１６に示すような事業者からの「有料のサービス情報は受信できません。料金をお支払いください」というような連絡メッーセージを受信処理部４３が取り込んでいる場合には（Ｓ１８）、受信処理部４３はこの連絡メッーセージを受信データメモリ４７の連絡メッーセージエリアｃに記憶し（Ｓ１９）、このとき、予め定められた表示指定又は前記キー入力部５の操作による表示指定があれば（Ｓ２０）、前記連絡メッセージ情報を前記表示部６に表示させる（Ｓ２１）。
これにより、使用者は自己の使用権が無くなり、料金を支払う必要があることを認識できる。
【００６１】
なお、図１３のフローチャートでは、全ての有料のサービス情報の受信に際して、残り受信回数から１をマイナスするようにしたが、有料のサービス情報の種類（番組番号）によって価値を変えて、その価値によってマイナスする変化をさせるようにしてもよい。
【００６２】
次に、本発明の第２の実施例について図１７乃至図２１を参照して説明する。本発明の第２の実施例においては、前記サービス情報送信装置７０の送信処理部７３に図１７に示すように年月日を含む時刻を計時する計時部（時計）８３を付加するとともに、図１８に示すように利用者ファイル８２に記憶した料金支払い済みの利用者の個別ＩＤコード、受信可能期間情報（例えば平成６年１１月１日〜平成７年０３月３１日のような使用期間）を送信処理部７３が送出するようにしたものである。また、受信処理部４３側にも図１９に示すように年月日を含む時刻を計時する計時部４６を設ける。
【００６３】
この場合には、前記ＥＥＰＲＯＭ２には、図２１に示すような、受信終了日のみからなる受信可能期間が記憶される。また、サービス情報送信装置７０からは、既述した図９、図１０、図１１に示すような無料又は有料のサービス情報及び図２２に示すような計時部４６の時刻を修正するための番組番号、有料ＩＤコード、時刻情報が送信される。
【００６４】
次に、第２の実施例の動作を説明する。なお、図２３において図１３と同様な処理のステップを省略し、図１３のステップ１０乃至２１に対応するステップをステップ２２乃至２８で示している。
【００６５】
上述したステップ９で、有料ＩＤコード同士が一致していると判断された場合には、図２３のステップ２２に移り、受信処理部４３は前記計時部４６がＦＭ放送局３からの最新の時刻情報により修正されており、かつ、着信時刻から明らかとなる年月日がＥＥＰＲＯＭ２に記憶された受信終了日を超えていないと判断した場合には（Ｓ２２）、有料のサービス情報を受信データメモリ４７の有料エリアｂに記憶する（Ｓ２３）。このとき、前記表示部６には、図２４に示すような現在年月日、受信終了年月日が表示される。この場合、受信終了年月日から現在年月日を差し引いた残り受信可能期間を表示することもできる。
【００６６】
そして、既に表示指定されているか又は前記キー入力部５の操作による表示指定があれば、有料のサービス情報におけるメッセージ情報を前記表示部６に表示させる。
【００６７】
また、前記計時部６がＦＭ放送局３からの最新の時刻情報により修正されていない、又は、有料のサービス情報の着信時刻がＥＥＰＲＯＭ２に記憶した受信終了日を超えていると判断した場合には、事業者からの連絡メッーセージを受信処理部４３が取り込んでいる場合には（Ｓ２４）、受信処理部４３はこの連絡メッーセージを受信データメモリ４７の連絡メッーセージエリアｃに記憶する（Ｓ２５）。この場合、予め定められた表示指定又は前記キー入力部５の操作による表示指定があれば（Ｓ２６）、この連絡メッーセージを前記表示部６に表示させる（Ｓ２７）。
【００６８】
また、ステップ９で、個別ＩＤコード同士が一致している場合に前記ＥＥＰＲＯＭ２に記憶されている受信可能期間の書き込み行う（Ｓ２８）。これにより、サービス情報受信装置１に受信可能期間を示す受信可能期間情報による使用権の設定ができる。
なお、ここで図２０に示すような受信開始年月日、受信終了年月日からなる受信可能期間がＥＥＰＲＯＭ２に記憶されている場合、ステップ２１の処理で受信開始年月日を越えているか否かの判断処理を付け加える必要がある。
【００６９】
次に、図２５乃至図２８を参照して本発明の第３の実施例を説明する。本発明の第３の実施例においては、図２５に示すように前記サービス情報送信装置１の送信処理部７３に計時部８３を接続して、サービス情報送信装置７０により図２６に示すような番組番号、有料ＩＤコード、時刻情報及びメッセージ情報を有する有料のサービス情報を送信するものである。また、この場合には、受信処理部４３の構成は、図５に示す場合と同様にして第２実施例の場合のような計時部４６は用いない。
【００７０】
また、図２７において図１３と同様な処理のステップを省略し、図１３のステップ１０乃至ステップ２１に対応するステップをステップ３１乃至ステップ３７で示している。
【００７１】
上述したステップ９で有料ＩＤコード同士が一致していると判断した場合には、図２７のステップ３１に移り、受信処理部４３はメッセ−ジ情報とともに受信した時刻情報がＥＥＰＲＯＭ２の受信終了年月日を超えていないと判断したときには（Ｓ３１）、有料のサービス情報におけるメッセージ情報を受信した番組番号に対応する有料エリアｂに記憶する（Ｓ３２）。前記表示部６には、図２８に示すような受信有効期間情報が表示される。そして、既に表示指定されているか又は前記キー入力部５の操作による表示指定があれば、有料のサービス情報におけるメッセージ情報を前記表示部６に表示させる。
【００７２】
また、ステップ３１で、有料のサービス情報の着信時刻がＥＥＰＲＯＭ２に記憶した受信終了日を超えていると判断した場合には、事業者からの連絡メッーセージを受信処理部４３が取り込んでいる場合には（Ｓ３３）、受信処理部４３はこの連絡メッーセージを受信データメモリ４７の連絡メッーセージエリアｃに記憶する（Ｓ３４）。この場合、予め定められた表示指定又は前記キー入力部５の操作による表示指定があれば（Ｓ３５）、この連絡メッーセージを前記表示部６に表示させる（Ｓ３６）。
【００７３】
また、ステップ９で、個別ＩＤコード同士が一致している場合に前記ＥＥＰＲＯＭ２に記憶されている使用期間の書き込みを行う（Ｓ３７）。これにより、サービス情報受信装置１に受信可能期間を示す受信可能期間情報による使用権の設定ができる。
【００７４】
次に、図２９乃至図３２を参照して本発明の第４の実施例を説明する。
【００７５】
この場合には、受信処理部４３に図２９に示すように計時手段としてのタイマ９０を接続するとともに、前記ＥＥＰＲＯＭ２に図３０に示すように受信有効期間（３ケ月、５ケ月等の使用期限をます情報）情報を記憶している。また、前記サービス情報送信装置７０により既述した場合と同じく図１０に示すような番組番号、有料ＩＤコード、メッセージ情報、図３１に示す番組番号、個別ＩＤコード、受信有効期間情報を送信し、受信処理部４３は前記ＥＥＰＲＯＭ２に図３０に示す受信有効期間情報を書き込んで使用権の設定を行なう。
【００７６】
また、受信処理部４３は、有料のサービス情報を受信した場合には、タイマ９０により徐々に短縮されていくＥＥＰＲＯＭ２の受信有効期間情報（残り期間）がゼロか否か判断し、ゼロでなければ有料のサービス情報におけるメッセージ情報を受信した番組番号に対応する前記有料エリアｂに記憶する。前記表示部６には、図３２に示すような残り受信期間、例えば、１ケ月２日が表示される。  また、ＥＥＰＲＯＭ２に記憶されている受信有効期間情報は、前記タイマ９０によりカウントダウン又はカウントアップされ、その受信有効期間情報が徐々に短縮される。
【００７７】
次に、本発明の第５の実施例を図３３乃至図３９を参照して説明する。第５の実施例においては、図３３に示すように、ＦＭ放送局３とサービス情報受信装置１との間を電話公衆回線網１０１により接続するとともに、図３４に示すように、前記送信処理部７３にモデム９１を接続して、図３５に示す番組番号、個別ＩＤコード、使用権情報をサービス情報受信装置１に送信するものである。また、サービス情報受信装置１の受信処理部４３にも図３６に示すように、モデム６０を接続している。図３７は、サービス情報受信装置１にモデム用インターフェース６１を取り付けた例を示すものである。
【００７８】
この第５の実施例においては、図３８、図３９に示すように、サービス情報受信装置１のキー入力部５を操作し、使用権情報の送信要求を行うと（Ｓ５１）、この送信要求は受信処理部４３の制御の基に前記モデム６０、電話公衆回線網１０１、モデム９１を介してサービス情報送信装置７０に送られる。
【００７９】
サービス情報送信装置７０側では、送られてきた使用権情報の送信要求が有ると判断した場合（Ｓ６１）、利用者ファイル８２を参照し、料金支払い済みか否かを確認した後（Ｓ６２）、新たな使用権情報をＦＭ放送電波又は電話回線を利用してサービス情報受信装置１に送信する（Ｓ６３）。
【００８０】
サービス情報受信装置１側では、新たな使用権情報を受信すると（Ｓ５２）、既述したような動作の基に前記ＥＥＰＲＯＭ２に記憶し、これにより、使用権が設定される（Ｓ５３）。この後、サービス情報受信装置１の受信処理部４３は、使用権情報設定済を確認し（Ｓ５４）、前記モデム６０を介してその確認した旨の情報をサービス情報送信装置７０に送った後、受信処理を終了する。サービス情報送信装置７０はサービス情報受信装置１からの確認した旨の情報を情報を受取り（Ｓ３４）、送信処理を終了する。
【００８１】
このような動作により、サービス情報送信装置７０によるサービス情報受信装置１に対する使用権の設定時の処理を電話公衆回線網１０１を通じて円滑に行うことができる。
【００８２】
尚、上述した実施例では、前記送信処理部７３にモデム９１を接続し、受信処理部４３にもモデム６０を接続して、電話公衆回線網１０１を利用する使用権の設定について説明したが、モデム９１、モデム６０の代りにダイヤラ等を用いても電話公衆回線網１０１を利用する使用権の設定を実行できる。
なお上述した実施例のサービス情報受信装置１に所定の操作キーを設け、有料サービス情報の受信可否をコントロールするようにしてもよい。また、上述した実施例では、全ての有料サービス情報を受信して記憶するようにしたが、表示指定又は受信指定されている番組番号の有料サービス情報のみを受信し、記憶するようにしてもよい。
本発明は、移動体ＦＭ多重放送のシステムに適用する他、無線通信を利用するページングシステムや、各種の通信、放送に幅広く適用できる。
【００８７】
【発明の効果】
請求項１記載の発明によれば、通信網を介して送受信を行うことにより記憶されている利用有効時間を更新することができるとともに、この更新された利用有効時間を消費しながら放送されているサービス情報を利用することができるので、サービス情報の提供を行う事業者による利用者管理が万全であり、利便性が高いサービス情報受信装置を提供することができる。
【図面の簡単な説明】
【図１】本発明の第１の実施例装置を含む移動体ＦＭ多重文字多重放送のシステム構成を示す概略説明図である。
【図２】本実施例のサービス情報受信装置の平面図である。
【図３】本実施例のサービス情報受信装置の左側面図である。
【図４】本実施例のサービス情報受信装置の右側面図である。
【図５】本実施例のサービス情報受信装置の構成を示すブロック図である。
【図６】本実施例のサービス情報受信装置の受信データメモリの記憶内容を示す説明図である。
【図７】本実施例のサービス情報送信装置の構成を示すブロック図である。
【図８】本実施例のサービス情報送信装置の利用者ファイルの記憶内容を示す説明図である。
【図９】無料のサービス情報の送信信号フォーマット図である。
【図１０】有料のサービス情報の送信信号のフォーマット図である。
【図１１】連絡メッセージを含む有料のサービス情報の送信信号のフォ−マット図である。
【図１２】使用回数による使用権情報の送信信号のフォ−マット図である。
【図１３】本実施例のサービス情報受信装置によるサービス情報の処理内容を示すフローチャートである。
【図１４】本実施例のサービス情報受信装置に対する使用回数による使用権情報の書き込み例を示す説明図である。
【図１５】本実施例のサービス情報受信装置における表示部の受信可能回数の表示例を示す説明図である。
【図１６】本実施例のサービス情報受信装置における表示部の連絡メッセージの表示例を示す説明図である。
【図１７】本発明の第２の実施例の計時部を設けたサービス情報送信装置の一部を示すブロック図である。
【図１８】本発明の第２の実施例における使用期間による使用権情報の送信信号のフォーマット図である。
【図１９】本発明の第２の実施例の計時部を設けたサービス情報受信装置の一部を示すブロック図である。
【図２０】本発明の第２の実施例におけるサービス情報受信装置に使用するプリペイドカードの記録内容の一例を示す説明図である。
【図２１】本発明の第２の実施例におけるサービス情報受信装置の使用期間による使用権情報の書き込み例を示す説明図である。
【図２２】本発明の第２の実施例における時刻を修正するするための送信信号のフォーマット図である。
【図２３】本発明の第２の実施例の有料のサービス情報の処理内容を示すフローチャートである。
【図２４】本発明の第２の実施例のサービス情報受信装置における表示部の使用期間の表示例を示す説明図である。
【図２５】本発明の第３実施例のサービス情報送信装置における送信処理部のブロック図である。
【図２６】本発明の第３の実施例の時刻情報の送信信号のフォ−マット図である。
【図２７】本発明の第３の実施例の有料のサービス情報の処理内容を示すフローチャートである。
【図２８】本発明の第３の実施例のサービス情報受信装置による使用期間の表示例を示す説明図である。
【図２９】本発明の第４の実施例のサービス情報受信装置におけるタイマを設けた構成を示すブロック図である。
【図３０】本発明の第４の実施例のサービス情報受信装置における使用期限の送信信号のフォ−マット図である。
【図３１】本発明の第４の実施例のサービス情報受信装置における使用期限による使用権情報の書き込み例を示す説明図である。
【図３２】本発明の第４の実施例のサービス情報受信装置における表示部の残り受信期間の表示例を示す説明図である。
【図３３】本発明の第５の実施例装置を含む移動体ＦＭ多重文字多重放送のシステム構成を示す概略説明図である。
【図３４】本発明の第５の実施例のサービス情報送信装置の構成を示すブロック図である。
【図３５】本発明の第５の実施例における使用権情報の送信信号のフォ−マット図である。
【図３６】本発明の第５の実施例のサービス情報受信装置の構成を示すブロック図である。
【図３７】本発明の第５の実施例のサービス情報受信装置の側面図である。
【図３８】本発明の第５の実施例の受信処理を示すフローチャートである。
【図３９】本発明の第５の実施例の送信処理を示すフローチャートである。
【符号の説明】
１  サービス情報受信装置
１Ａ  装置本体
２  ＥＥＰＲＯＭ
３  ＦＭ放送局
４  金融機関
５  キー入力部
６  表示部
３０  ＦＭラジオ部
４０  サービス情報受信処理部
４３  受信処理部
４４  ＲＯＭ
４６  計時部
４８  入力データメモリ
４９  報音部
７０  サービス情報送信装置
７３  送信処理部
８２  利用者ファイル
９０  タイマ
９１  モデム
【図１】
0003867301.tif 000002
【図２】
0003867301.tif 000003
【図３】
0003867301.tif 000004
【図４】
0003867301.tif 000005
【図５】
0003867301.tif 000006
【図６】
0003867301.tif 000007
【図７】
0003867301.tif 000008
【図８】
0003867301.tif 000009
【図９】
0003867301.tif 000010
【図１０】
0003867301.tif 000011
【図１１】
0003867301.tif 000012
【図１２】
0003867301.tif 000013
【図１３】
0003867301.tif 000014
【図１４】
0003867301.tif 000015
【図１５】
0003867301.tif 000016
【図１６】
0003867301.tif 000017
【図１７】
0003867301.tif 000018
【図１８】
0003867301.tif 000019
【図１９】
0003867301.tif 000020
【図２０】
0003867301.tif 000021
【図２１】
0003867301.tif 000022
【図２２】
0003867301.tif 000023
【図２３】
0003867301.tif 000024
【図２４】
0003867301.tif 000025
【図２５】
0003867301.tif 000026
【図２６】
0003867301.tif 000027
【図２７】
0003867301.tif 000028
【図２８】
0003867301.tif 000029
【図２９】
0003867301.tif 000030
【図３０】
0003867301.tif 000031
【図３１】
0003867301.tif 000032
【図３２】
0003867301.tif 000033
【図３３】
0003867301.tif 000034
【図３４】
0003867301.tif 000035
【図３５】
0003867301.tif 000036
【図３６】
0003867301.tif 000037
【図３７】
0003867301.tif 000038
【図３８】
0003867301.tif 000039
【図３９】
0003867301.tif 000040